(57)【要約】【課題】隣接するフロアパネル内をそれぞれ配索される伝送線同士のより良好な接続状態を維持することが可能なフロアパネルシステムを得る。【解決手段】フロアパネル４に設けられた伝送線６を、フロアパネル４の下面部材４２の側面部４２ａに形成される引出穴４２ｃから外部に引き出し、この外部引出部分６ａの端部に雄側コネクタ１０ａを設けている。この雄側コネクタ１０ａに対応する雌側コネクタ１０ｂは、下面部材４２の側面部４２ｂに固定されている。そして、フロアパネル４を設置して雄側コネクタ１０ａと雌側コネクタ１０ｂとを結合した状態において、雄側コネクタ１０ａに繋がる外部引出部分６ａが弛んで屈曲するように構成してある。【選択図】図５
2010106455.tif 000002
【特許請求の範囲】
【請求項１】
略矩形状のフロアパネルを複数敷き詰めて基礎床上に配置するとともに、相互に隣接するフロアパネル内をそれぞれ配索される伝送線同士を、各伝送線のコネクタ同士を結合することで電気的に接続するようにしたフロアパネルシステムにおいて、
相互に電気的に接続される二つの伝送線のうち少なくともいずれか一方の外部引出部分に前記コネクタを設け、当該外部引出部分を屈曲させた状態で、前記コネクタ同士を結合したことを特徴とするフロアパネルシステム。
【請求項２】
前記コネクタ同士を結合した状態で、相互に隣接する二つのフロアパネルの一方のコネクタが、それらフロアパネルの境界より他方側に配置されるようにしたことを特徴とする請求項１に記載のフロアパネルシステム。
【請求項３】
略矩形状のフロアパネルを複数敷き詰めて基礎床上に配置するとともに、相互に隣接するフロアパネル内をそれぞれ配索される伝送線同士を電気的に接続するようにしたフロアパネルシステムにおいて、
前記支柱に中継伝送線と当該中継伝送線のコネクタとを設け、
前記フロアパネル内を配索される伝送線の外部引出部分に設けたコネクタと前記中継伝送線のコネクタとを、当該外部引出部分を屈曲させた状態で結合したことを特徴とするフロアパネルシステム。
【請求項４】
前記コネクタを前記フロアパネルの本体部に格納位置と結合位置との間でスライド可能に取り付け、
前記フロアパネルの上面に前記コネクタをスライドさせる操作部を設けたことを特徴とする請求項１〜３のうちいずれか一つに記載のフロアパネルシステム。
【請求項５】
前記コネクタがマグネットコネクタであることを特徴とする請求項１〜４のうちいずれか一つに記載のフロアパネルシステム。
【請求項６】
請求項１〜５のうちいずれかひとつに記載のフロアパネルシステムに用いられるフロアパネル。
【発明の詳細な説明】
【技術分野】
【０００１】
本発明は、フロアパネルシステムに関する。
【背景技術】
【０００２】
オフィス等で基礎床上に支柱を介して敷き詰めて配置されるフロアパネルとして、従来、その内部に電力線を配索し、相互に隣接するフロアパネル間で電力線同士を電気的に接続するようにしたフロアパネルが知られている（例えば、特許文献１）。
【０００３】
特許文献１に開示されるフロアパネルでは、フロアパネルの一端面にコンセントを設けるとともに、他端面に出没自在にプラグを設け、フロアパネルを配置した後、プラグを隣接するフロアパネルのコンセントに差し込むようになっている。
【特許文献１】実開平４−１３４１２７号公報
【発明の開示】
【発明が解決しようとする課題】
【０００４】
しかしながら、上記特許文献１の構成では、プラグおよびコンセントがフロアパネルの端面に固定されていたため、相互に隣接するフロアパネル同士の境界部に過大な荷重が作用した際には、プラグとコンセントとの結合部分に力が加わり、プラグとコンセントとの良好な接続状態が損なわれる虞があった。
【０００５】
そこで、本発明は、隣接するフロアパネル内をそれぞれ配索される伝送線同士のより良好な接続状態を維持しやすくするフロアパネルシステムを得ることを目的とする。
【課題を解決するための手段】
【０００６】
請求項１の発明にあっては、略矩形状のフロアパネルを複数敷き詰めて基礎床上に配置するとともに、相互に隣接するフロアパネル内をそれぞれ配索される伝送線同士を、各伝送線のコネクタ同士を結合することで電気的に接続するようにしたフロアパネルシステムにおいて、相互に電気的に接続される二つの伝送線のうち少なくともいずれか一方の外部引出部分に前記コネクタを設け、当該外部引出部分を屈曲させた状態で、前記コネクタ同士を結合したことを特徴とする。
【０００７】
請求項２の発明にあっては、前記コネクタ同士を結合した状態で、相互に隣接する二つのフロアパネルの一方のコネクタが、それらフロアパネルの境界より他方側に配置されるようにしたことを特徴とする。
【０００８】
請求項３の発明にあっては、略矩形状のフロアパネルを複数敷き詰めて基礎床上に配置するとともに、相互に隣接するフロアパネル内をそれぞれ配索される伝送線同士を電気的に接続するようにしたフロアパネルシステムにおいて、前記支柱に中継伝送線と当該中継伝送線のコネクタとを設け、前記フロアパネル内を配索される伝送線の外部引出部分に設けたコネクタと前記中継伝送線のコネクタとを、当該外部引出部分を屈曲させた状態で結合したことを特徴とする。
【０００９】
請求項４の発明にあっては、前記コネクタを前記フロアパネルの本体部に格納位置と結合位置との間でスライド可能に取り付け、前記フロアパネルの上面に前記コネクタをスライドさせる操作部を設けたことを特徴とする。
【００１０】
請求項５の発明にあっては、前記コネクタがマグネットコネクタであることを特徴とする。
【００１１】
請求項６の発明にあっては、前記フロアパネルシステムに用いるフロアパネルであることを特徴とする。
【発明の効果】
【００１２】
請求項１の発明によれば、フロアパネルに過大な荷重が作用するなどして相互に隣接するフロアパネル間に相対変位が生じた場合にあっても、その相対変位を予め屈曲させた上記外部引出部分で吸収することができるため、コネクタの接続状態をより良好に維持しやすくなる。
【００１３】
請求項２の発明によれば、二つのフロアパネルのうち一方のコネクタがそれらフロアパネルの境界より他方側で結合することで、フロアパネルに過大な荷重が作用した際にフロアパネルの端部がコネクタへ接触することを抑制でき、コネクタの接続状態をより良好に維持しやすくなる。
【００１４】
請求項３の発明によれば、フロアパネルに過大な荷重が作用するなどしてフロアパネルと支柱との間に相対変位が生じた場合であっても、その相対変位を予め屈曲させた上記外部引出部分で吸収することができるため、コネクタの接続状態をより良好に維持しやすくなる。
【００１５】
請求項４の発明によれば、上記操作部を設けることで、フロアパネルを配置した後に、より容易にコネクタを結合することができる。
【００１６】
請求項５の発明によれば、上記マグネットコネクタとすることで、より容易にコネクタを結合することができる。
【００１７】
請求項６の発明によれば、上記フロアパネルを用いることによって、コネクタの接続状態をより良好に維持しやすいフロアパネルシステムを構築することができる。
【発明を実施するための最良の形態】
【００１８】
（第１実施形態）本発明の第１実施形態について図面を参照しながら説明する。図１は、本実施形態にかかるフロアパネルシステムを概略的に示す斜視図である。
【００１９】
図１に示すように、本実施形態のフロアパネルシステム１は、複数の支柱３と、複数のフロアパネル４とを備えている。支柱３は、基礎床２上に配置され、フロアパネル４を支持する。フロアパネル４は、略矩形状に形成されており、支柱３に支持されて基礎床２上に碁盤の目状に敷き詰められる。また、フロアパネル４は、その四隅が支柱３に支持される構造になっており、フロアパネル４を敷き詰める際に複数のフロアパネル４の隅同士が同一の支柱３によって支持される。このフロアパネルシステム１と基礎床２とによって、フロアパネル４と基礎床２との間に空間５を有する二重床が形成される。
【００２０】
フロアパネル４には、伝送物を伝送する伝送媒体である伝送線６が設けられている。ここで、便宜上、図面において伝送線６は単に線で示してある。伝送線６は、フロアパネル４の対辺の中央部同士を結ぶようにフロアパネル４に設けられており、全体で十字状を成している。隣合うフロアパネル４の伝送線６同士が、支柱３を介さずに、フロアパネル４のコネクタ１０（図３参照）を介して接続され、これらの伝送線６及びコネクタ１０等によって、フロアパネルシステム１内に伝送路７が形成される。この伝送路７には、伝送物管理装置８やアウトレット９が接続可能となっており、アウトレット９に接続された電気機器１５と伝送物管理装置８とが伝送路７を介して接続されるようになっている。
【００２１】
フロアパネルシステム１が伝送路７によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００２２】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００２３】
伝送物管理装置８は、電力を供給可能な電源装置、情報を送受信可能なサーバ、又は、それら電源装置及びサーバの両方の機能を有する複合装置等である。なお、図１には、伝送物管理装置８として電源装置を例示してある。
【００２４】
伝送線６は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流や直流が伝送される。
【００２５】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００２６】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００２７】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００２８】
図２は、本実施形態にかかるフロアパネルシステムの支柱を示す斜視図、図３は、フロアパネルを示す平面図、図４は、フロアパネルの支持構造を示す側面図、図５は、フロアパネルに配索される伝送線の接続部分を示す断面図、図６は、図５のVI−VI断面図、図７は、コネクタが格納位置にある状態を示す平面図、図８は、コネクタが結合位置にある状態を示す平面図である。
【００２９】
図２に示すように、支柱３は、基礎床上に載置される略矩形状の板状の基台部３１と、この基台部３１と一体に形成される柱部３２と、フロアパネル４の四隅を支持する支持部３３とを備えている。柱部３２は、基台部３１の上面の略中央部から上方に向かって垂設されており、その上端部に支持部３３が取り付けられている。なお、柱部３２には、フロアパネル４の高さ位置をハンドル３２ａを操作して調整する高さ調節機構が設けられている。
【００３０】
支持部３３は、略矩形状の板状部材３３ａを備えている。この板状部材３３ａからは、上方に向かって平面視略十字状の突出部３３ｂが突出している。突出部３３ｂの上面の略中央部には、凹部３３ｃが形成されている。そして、この突出部３３ｂの上面が、フロアパネル４の角部をのせる載置部３３ｄとなる。また、載置部３３ｄには、その上面部から下方に向けて凹設されたスリット３３ｅが形成されている。
【００３１】
また、図３および図４に示すように、本実施形態では、パネル本体４３は、略矩形板状に形成された上面部材４１および下面部材４２を上下方向に所定の間隔をおいて配置し、これら部材の端縁同士を結合することで構成されている。パネル本体４３の四隅には、表面よりも下げた段差部４４が形成されている。段差部４４はその先端部分を円弧状に切り取られて、平面視で略扇状に形成されている。また、パネル本体４３の内部には、パネル本体４３の対辺の中央部分間を結ぶ伝送線６が略十時状に配索されている。なお、略十字状に配索されるそれぞれの伝送線６は同様の構成を備えている。よって、一方向側（図３および図４では左右方向側）に配索される伝送線６のみを説明する。
【００３２】
図４に示すように、フロアパネル４を支柱３に支持する際には、フロアパネル４の角部を支柱３の載置部３３ｄにのせ、段差部４４を支柱３の凹部３３ｃに入り込ませる。このとき、載置部３３ｄのスリット３３ｅには、パネル本体４３の側辺に沿って下方に向けて略直角に折り曲げられた折曲部４５が入る。段差部４４にはリング部材３３ｆを嵌め込み、このリング部材３３ｆを支柱３にねじ等で固定する。
【００３３】
図５に示すように、伝送線６は、フロアパネル４の下面部材４２の側面部４２ａに形成される引出穴４２ｃから外部に引き出されている。
【００３４】
コネクタ１０は、雄側コネクタ１０ａと雌側コネクタ１０ｂとから構成されている。雄側コネクタ１０ａは、伝送線６の外部引出部分６ａの端部に取り付けられている。雌側コネクタ１０ｂは、下面部材４２の側面部４２ｂに固定されている。雄側コネクタ１０ａと雌側コネクタ１０ｂとを結合することによって、雄側コネクタ１０ａおよび雌側コネクタ１０ｂのそれぞれの端子が結合し、伝送線６内の導線同士を電気的に接続することができる。なお、本実施形態では、コネクタ１０は、マグネットコネクタとして構成されている。
【００３５】
そして、本実施形態では、フロアパネル４を設置して雄側コネクタ１０ａと雌側コネクタ１０ｂとを結合した状態において、雄側コネクタ１０ａに繋がる外部引出部分６ａが弛んで屈曲するように構成してある。
【００３６】
また、本実施形態では、雄側コネクタ１０ａを格納位置Ａ（図５中破線）から結合位置Ｂまでスライドさせるスライド機構１１が設けられている。スライド機構１１は、フロアパネル４の一側縁部の中央部の近傍に設けられており、断面略コ字状の一対のレール１２と、板状のスライダ１３とを備えている。
【００３７】
レール１２は、フロアパネル４の境界の端辺に直交する方向に沿って延設されている。また、レール１２は、所要の間隔をあけて凹溝１２ａを互いに向かい合わせて配置されており、上面部材４１の裏面に溶接等して固定されている。
【００３８】
スライダ１３の基端部１３ａの幅方向両端側の端部１３ｂは、それぞれ、対応する凹溝１２ａに摺動可能に挿入されており、これにより、スライダ１３がレール１２に対して相対スライド可能となっている。
【００３９】
雄側コネクタ１０ａは、スライダ１３の先端部１３ｃに取り付けられている。また、スライダ１３の基端部１３ａと先端部１３ｃとの間には脆弱部１３Ａが形成されている。
【００４０】
脆弱部１３Ａは、スライダ１３の幅方向に延びるＶ字溝として形成されている。また、この脆弱部１３Ａは、フロアパネル４を設置して雄側コネクタ１０ａと雌側コネクタ１０ｂとを結合した状態において、スライダ１３のフロアパネル４の境界と上下方向にほぼ重なり合う位置に形成されており、スライダ１３に過大な荷重が作用した際の変形の起点となる。なお、脆弱部１３Ａは、スライダ１３の上面部および下面部に、上下に対向して配置されており、上下方向に重なり合っている。
【００４１】
スライダ１３の上面の略中央部には、スライダ１３をスライドさせる操作部１４が立設されている。操作部１４は、パネル本体４３の上面にレール１２の延伸方向に沿って延設された貫通穴４１ａに挿入されており、その上端部は上面部材４１から上方に突出しないようにしてある。上記構成により、操作部１４を貫通穴４１ａの延設方向に沿って動かすことで、スライダ１３をレール１２の延伸方向にスライドさせることができる。
【００４２】
また、本実施形態では、コネクタ１０が結合されるとフロアパネル４の上面に設けられた表示部１６によって伝送線６同士の導通が確認できるようになっている。
【００４３】
以上の構成において、図７および図８に示すように、操作部１４をスライドさせることで、雄側コネクタ１０ａを、格納位置Ａ（図７）から結合位置Ｂ（図８）に向かって移動させ、雌側コネクタ１０ｂに結合させることができる。このとき、本実施形態では、結合されたコネクタ１０は、互いに接続されたフロアパネル４の境界（合わせ目）より雌側コネクタ１０ｂを有するフロアパネル４側に配置されるようになっている。
【００４４】
ここで、フロアパネル４の境界部分に過大な荷重が作用すると、例えば一方のフロアパネル４が下方に大きく撓む等して、隣接するフロアパネル４間に相対変位が生じる場合がある。このとき、雄側コネクタ１０ａおよび雌側コネクタ１０ｂが各フロアパネル４に固定されていると、そのコネクタ１０の結合部分に相対変位による荷重が作用してしまう虞がある。
【００４５】
この点、本実施形態では、伝送線６の外部引出部分６ａを弛むように屈曲させているため、その相対変位を外部引出部分６ａに吸収させることができ、コネクタ１０の結合部分に荷重が作用することを抑制することができる。
【００４６】
また、スライダ１３に脆弱部１３Ａを形成してあるため、スライダ１３に外力が作用した際には、脆弱部１３Ａを基点としてスライダ１３が屈曲あるいは破断等してコネクタ１０の結合箇所に相対変位による荷重が作用することを抑制することができる。
【００４７】
以上、説明したように、本実施形態では、伝送線６の外部引出部分６ａに設けられたコネクタ１０を、この外部引出部分６ａを弛むように屈曲させた状態で接続するようにした。よって、隣接するフロアパネル４間に相対変位が生じた際にも、その相対変位を外部引出部分６ａの屈曲箇所で吸収することができるため、コネクタ１０の接続状態をより良好に維持しやすくなる。
【００４８】
また、本実施形態では、隣接するフロアパネル４の一方のコネクタ１０が、それらフロアパネル４の境界より他方側に配置されるようにした。よって、隣接するフロアパネル４間に相対変位が生じた際にも、フロアパネル４の端部がコネクタ１０に接触することを抑制でき、コネクタ１０の接続状態をより良好に維持することができる。
【００４９】
また、本実施形態では、コネクタ１０をフロアパネル４の格納位置Ａと結合位置Ｂとの間でスライド可能に取り付け、フロアパネル上面に設けた操作部１４によって操作可能にした。よって、フロアパネル４を配置した後に、より容易にコネクタ１０を結合することができる。
【００５０】
また、本実施形態では、コネクタ１０をマグネットコネクタとした。よって、より容易にコネクタ１０を結合することができる。
【００５１】
また、このようにフロアパネル４のパネル本体４３内に伝送線６を設けることによって、フロアパネル４と基礎床２との間の空間５に配索する伝送線を少なくしたり無くすことができる。したがって、フロアパネル４のパネル本体４３内に伝送線を設けずにフロアパネル４と基礎床２との間の空間５にのみ伝送線を配索する場合に比べて、フロアパネル４と基礎床２との間の空間５の高さを低くすることができ、フロアパネルシステム１の床面（上面）を低くすることができる。よって、室内空間の高さを高くして室内を広くすることができる。
【００５２】
ところで、本実施形態では、上記のようにフロアパネル４に伝送線６を一体に設けることによって、フロアパネル４に電気機器１５を内蔵してその電気機器１５を伝送線６に接続したり、フロアパネル４外の電気機器（図示せず）を伝送線６に接続（以下、外部接続ともいう）することができる。
【００５３】
例えば、フロアパネル４に内蔵又は外部接続する電気機器１５として位置検出センサを採用することで、人の位置を検出することが可能となる。また、フロアパネル４に内蔵又は外部接続する電気機器１５として空調機器を採用することで、温度や湿度などの室内空気環境を個別制御することが可能となる。また、フロアパネル４に内蔵又は外部接続する電気機器１５として照明器具を採用することで、室内照明を制御することが可能となる。
【００５４】
また、フロアパネル４に内蔵又は外部接続する電気機器１５として電力量センサを採用することで、フロアパネルシステム１内の電力量や電力分配を制御することが可能となる。また、フロアパネル４に内蔵又は外部接続する電気機器１５として物体の有無を検出可能な荷重センサを採用することで、有形資産の位置を検出して管理することが可能となる。また、フロアパネル４に内蔵又は外部接続する電気機器１５として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。また、フロアパネル４に内蔵又は外部接続する電気機器１５として圧電素子を採用することで、電力を生み出してその電力を他の電気機器に供給することが可能となる。
【００５５】
なお、伝送線６は、フロアパネル４内で、図９〜図１２に示すように、種々に配索することができる。
【００５６】
また、本実施形態では、フロアパネル４が支柱３に支持されて基礎床２上に敷き詰められているが、これには限定されず、例えばフロアパネル４を基礎床２上に支柱３を介さずに直接敷き詰めるようにしてもよい。
【００５７】
（第２実施形態）本発明の第２実施形態について図面を参照して説明する。図１３は、本実施形態にかかるフロアパネルシステムを概略的に示す斜視図である。本実施形態のフロアパネルシステム１０１の基本的な構造は、第１実施形態のフロアパネルシステム１と同じである。よって、第１実施形態との相違点を中心に説明し、第１実施形態と同じ部分には同一符号を付し重複する説明は省略する。
【００５８】
図１３に示すように、本実施形態のフロアパネルシステム１０１は、フロアパネル１０４及び伝送路１０７が、第１実施形態のフロアパネルシステム１に対して相違している。
【００５９】
具体的には、本実施形態では、伝送線６は、フロアパネル１０４の中心部を挟んで相互に対向するフロアパネル１０４の隅同士を結ぶように配置されており、全体で略Ｘ字状に配索されている。隣合うフロアパネル１０４の伝送線６同士は、支柱３Ａの支持部３３Ａを介して接続され、これらの伝送線６及び支持部３３Ａ等によって、フロアパネルシステム１０１内に伝送路１０７が形成される。伝送路１０７には、第１実施形態と同様に、伝送物管理装置８やアウトレット９が接続可能となっており、アウトレット９に接続された電気機器１５と伝送物管理装置８とが伝送路１０７を介して接続されるようになっている。
【００６０】
図１４は、本実施形態にかかるフロアパネルに配索される伝送線の接続部分を示す側面図である。
【００６１】
本実施形態では、伝送線６は、フロアパネル１０４の下面部材４２の下面部に形成される引出穴４２ｅから外部に引き出されており、その外部引出部分６ａの端部には、雄側コネクタ１０ａが設けられている。
【００６２】
また、本実施形態では、伝送線６同士は支柱３Ａを介して接続されるようになっている。具体的には、支柱３の支持部３３Ａの内部に中継伝送線６ｂを設け、その端部に雌側コネクタ１０ｂを設けている。
【００６３】
また、本実施形態でも、フロアパネル１０４を設置して雄側コネクタ１０ａと雌側コネクタ１０ｂとを結合した状態において、雄側コネクタ１０ａに繋がる外部引出部分６ａが弛んで屈曲するように構成してある。
【００６４】
以上の構成において、隣接するフロアパネル１０４間で伝送線６同士を各フロアパネル４の雄側コネクタ１０ａと、それに対応する支柱３Ａの雌側コネクタ１０ｂとを結合することによって、中継伝送線６ｂを介して伝送線６同士を電気的に接続することができる。
【００６５】
ここで、フロアパネル１０４の境界部分に過大な荷重が作用すると、フロアパネル１０４と支柱３Ａとの間に相対変位が生じる場合がある。このとき、雄側コネクタ１０ａおよび雌側コネクタ１０ｂがそれぞれフロアパネル１０４および支柱３Ａに固定されていると、そのコネクタ１０の結合部分に荷重が作用してしまう虞がある。
【００６６】
この点、本実施形態では、雄側コネクタ１０ａに繋がる外部引出部分６ａを弛むように屈曲させているため、その相対変位を外部引出部分６ａに吸収させることができ、コネクタ１０の結合箇所に荷重が作用することを抑制することができる。
【００６７】
以上、説明したように、本実施形態では、フロアパネル１０４の伝送線６同士を、支柱３Ａを介して接続するようにし、伝送線６の外部引出部分６ａに設けられた雄側コネクタ１０ａを、この外部引出部分６ａを弛むように屈曲させた状態で接続するようにした。よって、フロアパネル１０４と支柱３Ａとの間に相対変位が生じた際にも、その相対変位を外部引出部分６ａの屈曲箇所で吸収することができるため、コネクタ１０の接続状態をより良好に維持しやすくなる。
【００６８】
また、このようにフロアパネル１０４のパネル本体４３内に伝送線６を設けることによって、第１実施形態と同様に、フロアパネル１０４と基礎床２との間の空間５に配索する伝送線を少なくしたり無くすことができる。したがって、フロアパネル１０４のパネル本体４３内に伝送線を設けずにフロアパネル１０４と基礎床２との間の空間５にのみ伝送線を配索する場合に比べて、フロアパネル１０４と基礎床２との間の空間５の高さを低くすることができ、フロアパネルシステム１０１の床面（上面）を低くすることができる。よって、室内空間の高さを高くして室内を広くすることができる。
【００６９】
また、本実施形態では、上記のようにフロアパネル１０４に伝送線６を一体に設けることによって、第１実施形態と同様に、フロアパネル１０４に電気機器１５を内蔵してその電気機器１５を伝送線６に接続したり、フロアパネル１０４外の電気機器（図示せず）を伝送線６に接続することができる。このような構成の例は、第１実施形態と同じであるため、説明は省略する。
【００７０】
なお、伝送線６は、フロアパネル１０４内で、図１５〜図１７に示すように、種々に配索することができる。
【００７１】
また、本実施形態でも、上記第１実施形態と同様に、フロアパネル１０４が支柱３Ａに支持されて基礎床２上に敷き詰められているが、これには限定されず、例えばフロアパネル１０４を基礎床２上に支柱３Ａを介さずに直接敷き詰めるようにしてもよい。
【００７２】
ところで、フロアの他の部分では、以下に示すようなフロアパネルシステム２０１を設置してもよい。図１８は、このようなフロアパネルシステムを概略的に示す斜視図、図１９は、フロアパネルを概略的に示す斜視図である。
【００７３】
すなわち、図１８に示すように、フロアパネルシステム２０１は、置き敷きタイプの矩形状のフロアパネル２０４を複数備えており、これらのフロアパネル２０４が基礎床２上に碁盤の目状に直接敷設される。このフロアパネルシステム２０１と基礎床２とによって、二重床が形成される。なお、図１８では、フロアパネル２０４同士の境界部分を太線で示してある。
【００７４】
図１８および図１９に示すように、フロアパネル２０４は、矩形板状のパネル本体２１０を骨格部材として備えている。このパネル本体２１０には、上面開口の配線用溝２１１が十字状に形成さており、この配線用溝２１１の上面は、着脱可能な蓋２１２で閉塞される。隣合うフロアパネル２０４同士の配線用溝２１１は、相互に連通されており、かかる複数の配線用溝２１１によって、フロアパネルシステム２０１に格子状の溝２１３が形成される。この溝には伝送線が配設可能となっている。
【００７５】
蓋２１２には、伝送線６が配線用溝２１１の形状に合わせて十字状をなすように埋設されている。そして、隣合うフロアパネル２０４における蓋２１２の伝送線６同士は、相互に接続され、これらの蓋２１２内の伝送線６等によって、フロアパネルシステム２０１内に格子状の伝送路２０７が形成される。この伝送路２０７には、第１実施形態と同様に、伝送物管理装置８やアウトレット９が接続可能となっており、アウトレット９に接続された電気機器９９と伝送物管理装置８とが伝送路２０７を介して接続されるようになっている。フロアパネルシステム２０１が伝送路２０７によって伝送する伝送物は、第１実施形態と同じである。
【００７６】
このように、フロアパネル２０４の蓋２１２内に伝送線６が埋設されていることにより、フロアパネル２０４を基礎床２に直接敷設しても、フロアパネルシステム２０１内に伝送路２０７が形成されるので、フロアパネル２０４の下面と基礎床２との間に配線用の空間を形成する必要がなく、その分、フロアパネルシステム２０１の床面（上面）を低くすることができる。よって、室内空間の高さを高くして室内を広くすることができる。なお、このような効果は、例えば、第１実施形態のフロアパネル４を支柱３を介さずに直接基礎床２に敷設して、隣合うフロアパネル４の伝送線６同士を接続部材によって接続することによっても、上記と同じ効果を得ることができる。
【００７７】
また、このようにフロアパネル２０４に伝送線６を一体に設けることによって、第１実施形態と同様に、フロアパネル２０４に電気機器９９を内蔵してその電気機器９９を伝送線６に接続したり、フロアパネル２０４外の電気機器（図示せず）を伝送線６に接続することができ、これにより、そのフロアパネル２０４内外の電気機器９９の遠隔制御や使用をすることができる。このような構成の例は、第１実施形態と同じであるため、説明は省略する。
【００７８】
なお、本発明は、上記実施形態に限ることなく本発明の要旨を逸脱しない範囲で他の実施形態を各種採用することができる。例えば、上記実施形態では、フロアパネルのパネル本体内に伝送線が設けられた構成を例示したが、これに限ることなく、伝送線がパネル本体の外側に配置されてパネル本体に一体に設けられたものであってもよい。例えば、パネル本体の下面に沿って伝送線を設けてもよい。
【００７９】
また、パネル本体内に、例えばモルタル等の充填物を充填してもよい。また、伝送線は蓋の上面または下面に伝わせて配索してもよい。
【図面の簡単な説明】
【００８０】
【図１】本発明の第１実施形態にかかるフロアパネルシステムを概略的に示す斜視図である。
【図２】本発明の第１実施形態にかかるフロアパネルシステムの支柱を示す斜視図である。
【図３】本発明の第１実施形態にかかるフロアパネルを示す平面図である。
【図４】本発明の第１実施形態にかかるフロアパネルの支持構造を示す側面図である。
【図５】本発明の第１実施形態にかかるフロアパネルに配索される伝送線の接続部分を示す断面図である。
【図６】図５のVI−VI断面図である。
【図７】本発明の第１実施形態にかかるコネクタが格納位置にある状態を示す平面図である。
【図８】本発明の第１実施形態にかかるコネクタが結合位置にある状態を示す平面図である。
【図９】本発明の第１実施形態にかかるフロアパネルの第１変形例を概略的に示す斜視図である。
【図１０】本発明の第１実施形態にかかるフロアパネルの第２変形例を概略的に示す斜視図である。
【図１１】本発明の第１実施形態にかかるフロアパネルの第３変形例を概略的に示す斜視図である。
【図１２】本発明の第１実施形態にかかるフロアパネルの第４変形例を概略的に示す斜視図である。
【図１３】本発明の第２実施形態にかかるフロアパネルシステムを概略的に示す斜視図である。
【図１４】本発明の第２実施形態にかかるフロアパネルに配索される伝送線の接続部分を示す側面図である。
【図１５】本発明の第２実施形態にかかるフロアパネルの第１変形例を概略的に示す斜視図である。
【図１６】本発明の第２実施形態にかかるフロアパネルの第２変形例を概略的に示す斜視図である。
【図１７】本発明の第２実施形態にかかるフロアパネルの第３変形例を概略的に示す斜視図である。
【図１８】他の部分のフロアパネルシステムを概略的に示す斜視図である。
【図１９】他の部分のフロアパネルを示す斜視図である。
【符号の説明】
【００８１】
１，１０１，２０１  フロアパネルシステム
２      基礎床
３，３Ａ  支柱
４，１０４，２０４  フロアパネル
６      伝送線
６ａ    外部引出部分
６ｂ    中継伝送線
１０    コネクタ
１０ａ  雄側コネクタ
１０ｂ  雌側コネクタ
１１    スライド機構
１２    レール
１３    スライダ
１４    操作部
【図１】
2010106455.tif 000003
【図２】
2010106455.tif 000004
【図３】
2010106455.tif 000005
【図４】
2010106455.tif 000006
【図５】
2010106455.tif 000007
【図６】
2010106455.tif 000008
【図７】
2010106455.tif 000009
【図８】
2010106455.tif 000010
【図９】
2010106455.tif 000011
【図１０】
2010106455.tif 000012
【図１１】
2010106455.tif 000013
【図１２】
2010106455.tif 000014
【図１３】
2010106455.tif 000015
【図１４】
2010106455.tif 000016
【図１５】
2010106455.tif 000017
【図１６】
2010106455.tif 000018
【図１７】
2010106455.tif 000019
【図１８】
2010106455.tif 000020
【図１９】
2010106455.tif 000021